(57)【要約】【課題】集塵フィルターで確実に効率良く細塵を捕集することで、吸引力が持続し、清潔で使い勝手の良い電気掃除機を提供することを目的とする。【解決手段】吸気口１９と集塵フィルター１７の間にリブ体２１により空間Ａを設けたので、吸気口１９から漏れた細塵を１個の集塵フィルター１７の全面で均一かつ確実に捕集可能で、集塵フィルター１７での細塵の捕集限界量が多くなるため、吸引力が持続し、清潔で使い勝手を向上できる。【選択図】  図６
2004290341.tif 000002
【特許請求の範囲】
【請求項１】
吸引風を発する電動送風機を内蔵する掃除機本体と、前記電動送風機の吸気上流側で前記掃除機本体に着脱自在に設けた集塵ケースとを備え、前記集塵ケースは、塵埃を収納する集塵収納室と、前記集塵収納室と前記電動送風機を連絡する複数の吸気口と、前記複数の吸気口を覆う集塵フィルターを収納した吸気下流側のフィルター収納室と、前記フィルター収納室と前記電動送風機を連通する連通吸気口とを有し、前記複数の吸気口と前記集塵フィルターの間には空間を設けた電気掃除機。
【請求項２】
フィルター収納室には、集塵フィルターを支持し空間を形成するリブ体を設けた請求項１に記載の電気掃除機。
【請求項３】
集塵収納室は、吸引風と塵埃とを遠心分離作用により分離させる遠心分離部を有する請求項１または２に記載の電気掃除機。
【請求項４】
リブ体を複数の吸気口間を区画する位置に設けた請求項２または３に記載の電気掃除機。
【請求項５】
フィルター収納室の集塵フィルターは、複数の吸気口のうち、第１の吸気口を覆う部分を他より密度の高い材料で形成した請求項４に記載の電気掃除機。
【請求項６】
フィルター収納室の集塵フィルターは、複数の吸気口のうち、第２の吸気口を覆う部分を他より密度の高い材料で形成した請求項４に記載の電気掃除機。
【請求項７】
密度の異なる集塵フィルターを一体に成型した請求項５または６に記載の電気掃除機。
【請求項８】
フィルター収納室と電動送風機を連通する連通吸気口を、集塵フィルターを通過する気流方向と略垂直の位置に設け、リブ体を複数の吸気口と連通吸気口の間に位置させ気流方向と略垂直に設けた請求項２に記載の電気掃除機。
【請求項９】
連通吸気口と集塵フィルターの間に空間を設けた請求項１〜８のいずれか１項に記載の電気掃除機。
【請求項１０】
集塵ケースを形成する上蓋に、集塵フィルターの吸気下流側と当接し空間を形成するリブ体を設けた請求項９に記載の電気掃除機。
【請求項１１】
リブ体を集塵フィルターの端部近傍に設けた請求項９または１０に記載の電気掃除機。
【請求項１２】
フィルター収納室のリブ体と上蓋のリブ体を集塵フィルターの端部近傍に略同一形状で形成し、集塵フィルターを両リブ体で挟持してなる請求項９〜１１のいずれか１項に記載の電気掃除機。
【請求項１３】
フィルター収納室の側壁を軟質材により形成した請求項１〜１２のいずれか１項に記載の電気掃除機。
【請求項１４】
集塵ケースを可視性部材から形成するとともに、集塵ケースを形成する上蓋に表面加工を施した請求項１〜１３いずれか１項に記載の電気掃除機。
【発明の詳細な説明】
【０００１】
【発明の属する技術分野】
本発明は、電動送風機と集塵ケース間に、細塵を捕集する集塵フィルターを有する電気掃除機に関するものである。
【０００２】
【従来の技術】
従来、この種の電気掃除機はすでによく知られている（例えば、特許文献１参照）。
【０００３】
これは、電動送風機が運転されると、塵埃を含む空気は集塵ケース内で遠心分離される。分離された塵埃は集塵ケース内に堆積され、分離された空気はメッシュ状のフィルターを備えた吸気口と、集塵フィルターを通過して掃除機本体の外部へ排出されるものである。
【０００４】
【特許文献１】
特開２００２−５２８号公報
【０００５】
【発明が解決しようとする課題】
しかしながら、このような従来の電気掃除機にあっては、集塵量が増加すると集塵ケース内の気流が乱れ、メッシュ状のフィルターを備えた吸気口からの細塵漏れが増加する。そして、漏れた細塵は、吸気口の投影面積に相当する集塵フィルター部分にのみ付着することになる。したがって、集塵フィルターは部分的に早期に目詰まりを起こして吸引力が低下するとともに、細塵が集塵フィルターを通過せずに集塵フィルターの側面から漏れ出て、電動送風機に侵入し、故障の原因となる課題があった。
【０００６】
本発明は、上記課題を解決するもので、集塵フィルターで確実に効率良く細塵を捕集することで、吸引力を持続し、清潔で使い勝手の良い電気掃除機を提供することを目的とする。
【０００７】
【課題を解決するための手段】
上記目的を達成するために、本発明の電気掃除機は、集塵ケースの集塵収納室と電動送風機とを連絡する複数の吸気口と、この複数の吸気口を覆う集塵フィルターとの間に空間を設けたものである。
【０００８】
これにより、複数の吸気口から漏れた細塵は、空間の存在により、集塵フィルターの全面で均一かつ確実に捕集され、集塵フィルターでの細塵の捕集限界量が多くなるため、集塵フィルターで確実に効率良く細塵を捕集することができ、吸引力を持続し、清潔で使い勝手の良いものとなる。
【０００９】
【発明の実施の形態】
請求項１に記載の発明は、吸引風を発する電動送風機を内蔵する掃除機本体と、前記電動送風機の吸気上流側で前記掃除機本体に着脱自在に設けた集塵ケースとを備え、前記集塵ケースは、塵埃を収納する集塵収納室と、前記集塵収納室と前記電動送風機を連絡する複数の吸気口と、前記複数の吸気口を覆う集塵フィルターを収納した吸気下流側のフィルター収納室と、前記フィルター収納室と前記電動送風機を連通する連通吸気口とを有し、前記複数の吸気口と前記集塵フィルターの間には空間を設けた電気掃除機とすることにより、複数の吸気口から漏れた細塵は、空間の存在により、集塵フィルターの全面で均一かつ確実に捕集され、集塵フィルターでの細塵の捕集限界量が多くなるため、集塵フィルターで確実に効率良く細塵を捕集することができ、吸引力を持続し、清潔で使い勝手の良いものとなる。
【００１０】
請求項２に記載の発明は、フィルター収納室には、集塵フィルターを支持し空間を形成するリブ体を設けた請求項１に記載の電気掃除機とすることにより、複数の吸気口と集塵フィルターの間の空間を確実に設けることができる。
【００１１】
請求項３に記載の発明は、集塵収納室は、吸引風と塵埃とを遠心分離作用により分離させる遠心分離部を有する請求項１または２に記載の電気掃除機とすることにより、遠心分離作用で複数の吸気口からの細塵量は少なくなり、一定期間の集塵フィルターの細塵付着量は少なくなるため、吸引力が持続し、メンテナンス回数を少なくできる。
【００１２】
請求項４に記載の発明は、リブ体を複数の吸気口間を区画する位置に設けた請求項２または３に記載の電気掃除機とすることにより、複数の吸気口間の、フィルター捕集面積バランスを調節でき、１個の集塵フィルターで均一に細塵を捕集することができるため、吸引力を持続できる。
【００１３】
請求項５に記載の発明は、フィルター収納室の集塵フィルターは、複数の吸気口のうち、第１の吸気口を覆う部分を他より密度の高い材料で形成した請求項４に記載の電気掃除機とすることにより、第１の吸気口から漏れる遠心分離された細かい微細塵を、密度の高い集塵フィルターで確実に捕集できるとともに、他の吸気口からの吸引は低下させず、清潔で使い勝手を向上できる。
【００１４】
請求項６に記載の発明は、フィルター収納室の集塵フィルターは、複数の吸気口のうち、第２の吸気口を覆う部分を他より密度の高い材料で形成した請求項４に記載の電気掃除機とすることにより、比較的細塵漏れ量の多い第２の吸気口から漏れる遠心分離された細かい微細塵を、密度の高い集塵フィルターで確実に捕集でき、遠心分離作用により比較的細塵漏れ量の少ない他の吸気口の吸引は低下させず、清潔で使い勝手を向上できる。
【００１５】
請求項７に記載の発明は、密度の異なる集塵フィルターを一体に成型した請求項５または６に記載の電気掃除機とすることにより、密度の異なる集塵フィルターの境界面からの細塵漏れが無くなり、また両集塵フィルターを同時に取り扱え、メンテナンスでき使い勝手を向上できる。
【００１６】
請求項８に記載の発明は、フィルター収納室と電動送風機を連通する連通吸気口を、集塵フィルターを通過する気流方向と略垂直の位置に設け、リブ体を複数の吸気口と連通吸気口の間に位置させ気流方向と略垂直に設けた請求項２に記載の電気掃除機とすることにより、複数の吸気口から漏れた細塵が集塵フィルターを通らず空間を通って連通吸気口の近傍まで流れるのを防止でき、細塵は確実に集塵フィルターで捕集され、清潔で使い勝手を向上できる。
【００１７】
請求項９に記載の発明は、連通吸気口と集塵フィルターの間に空間を設けた請求項１〜８のいずれか１項に記載の電気掃除機とすることにより、複数の吸気口から集塵フィルターの面積全体で吸引でき、吸引力を向上できる。
【００１８】
請求項１０に記載の発明は、集塵ケースを形成する上蓋に、集塵フィルターの吸気下流側と当接し空間を形成するリブ体を設けた請求項９に記載の電気掃除機とすることにより、連通吸気口と集塵フィルターの間に空間を確実に設けることができるとともに、吸引による集塵フィルターの浮きを防止し、確実に細塵を捕集し清潔かつ吸引力を向上できる。
【００１９】
請求項１１に記載の発明は、リブ体を集塵フィルターの端部近傍に設けた請求項９または１０に記載の電気掃除機とすることにより、特に細塵が漏れやすい集塵フィルター端部の吸引による浮きを防止し、全吸気を集塵フィルターに通すことで確実に細塵を捕集できる。
【００２０】
請求項１２に記載の発明は、フィルター収納室のリブ体と上蓋のリブ体を集塵フィルターの端部近傍に略同一形状で形成し、集塵フィルターを両リブ体で挟持してなる請求項９〜１１のいずれか１項に記載の電気掃除機とすることにより、集塵フィルターの上流および下流両側に空間を設けるとともに、集塵フィルター端部の吸引による浮きを防止し、端部からの細塵漏れをより確実に防止できる。
【００２１】
請求項１３に記載の発明は、フィルター収納室の側壁を軟質材により形成した請求項１〜１２のいずれか１項に記載の電気掃除機とすることにより、集塵フィルターとフィルター収納室の側壁とのエアータイトを確実に行うことができ、集塵フィルター端部からの細塵漏れをより確実に防止できる。
【００２２】
請求項１４に記載の発明は、集塵ケースを可視性部材から形成するとともに、集塵ケースを形成する上蓋に表面加工を施した請求項１〜１３いずれか１項に記載の電気掃除機とすることにより、デザイン性を損なわず、外部からの集塵フィルターの汚れを目立たなくし、外観上の清潔感を向上することができる。
【００２３】
【実施例】
以下、本発明の実施例について、図を参照しながら説明する。
【００２４】
（実施例１）
図１〜図６は、本発明の実施例１における電気掃除機を示すものである。
【００２５】
図１に示すように、吸引風を発する電動送風機（図示せず）を内蔵する掃除機本体１には、電動送風機の吸気上流側に、掃除機本体１から着脱可能で塵埃を捕集する集塵ケース２が設けられている。集塵ケース２は、可視性部材から形成されており、外部から内部が確認できるものである。また、集塵ケース２は、ホース継ぎ手４付きのホース５、手元ハンドル３、および延長管６を介して、塵埃を吸引する吸込具７が連結されている。掃除機本体１は、底面に枢支された１個の前輪キャスター８と、掃除機本体１の後部両側面に回転自在に取り付けた一対の後輪９と、掃除機本体１の後方下内部に装備した、電動送風機へ電源を供給する２次電池（図示せず）とを備えている。さらに、掃除機本体１には、蓋体１ａが開閉自在に装備されており、蓋体１ａの閉時に集塵ケース２を覆っている。なお、前記したホース５は、蓋体１ａに接続されているもので、集塵ケース２に吸引風を導くようになっている。
【００２６】
次に、集塵ケース２の構成について詳しく説明する。
【００２７】
図２〜図６に示すように、集塵ケース２は、集塵ケース本体１０と、集塵ケース本体１０に着脱可能な略円板状をした枠体１４と、集塵ケース本体１０に対して回動操作により開閉自在に施した上蓋１５と、枠体１４外周に接着され、集塵ケース本体１０と上蓋１５をエアータイトする、エラストマーのような軟質材で形成したパッキン１６と、枠体１４と上蓋１５間に形成されたフィルター収納室１４ａ（図６）に枠体１４を覆って装備した集塵フィルター１７と、集塵ケース本体１０の下面に開閉自在に軸支され開操作により貯まった塵埃を廃棄可能な下蓋１８を備えている。なお、フィルター収納室１４ａの側壁は、軟質材により形成されており、集塵フィルター１７とフィルター収納室１４ａの側壁とのエアータイトを確実に行うようにしている。
【００２８】
前記集塵ケース本体１０は、図５に示すように、ホース５からの塵埃を含んだ吸引風を流入口２６から導入し、これを矢印のように遠心分離する第１遠心分離部１１と、第２遠心分離部１２と、遠心分離された塵埃を貯める堆積部１３とを備えている。同時に、メッシュフィルター２７、粗いメッシュフィルター２８および細塵室２９を備えている。
【００２９】
また、前記枠体１４は、図２、図４に示すように、第１遠心分離部１１ならびに第２遠心分離部１２と連通した第１の吸気口１９と、堆積部１３と連通した第２の吸気口２０と、第１の吸気口１９から放射状に複数配置した高さ２ｍｍ程度のリブ体２１と、集塵フィルター１７の端部近傍に円弧状に複数配置した高さ２ｍｍ程度のリブ体２２とを備えている。これらリブ体２１、２２により集塵フィルター１７は支持され、前記複数の吸気口１９、２０と集塵フィルター１７の間には空間Ａ（図６）が設けられ、複数の吸気口１９、２０から漏れた細塵は、空間Ａの存在により、集塵フィルター１７の全面で均一かつ確実に捕集されるように配慮している。空間Ａはリブ体２１、２２により確実に設けられるが、これらリブ体によらず他の手段で形成するようにしてもよい。なお、リブ体２１、２２の少なくとも一方を、複数の１９、２０間を区画する位置に設けることにより、複数の吸気口１９、２０間の、フィルター捕集面積バランスを調節することができ、１個の集塵フィルター１７で均一に細塵を捕集するようにすることが可能である。
【００３０】
また、前記上蓋１５は、図２、図５に示すように、電動送風機２９とフィルター収納室１４ａを連通する連通吸気口２３を、集塵フィルター１７を通過する気流方向と略垂直方向の位置に設けている。また、リブ体２２と略同一形状のリブ体２４を、複数の吸気口１９、２０と連通吸気口２３の間に位置させ、気流方向と略垂直に設けている。リブ体２４はリブ体２２とで集塵フィルター１７を挟持しているものであり、集塵フィルター１７の吸気下流側と当接することにより、連通吸気口２３と集塵フィルター１７の間に空間Ｂ（図６）を形成している。この空間Ｂのため、複数の吸気口１９、２０から集塵フィルター１７の面積全体で吸引でき、吸引力を向上できるようになっている。空間Ｂはリブ体２４により確実に設けられるが、このリブ体によらず他の手段で形成するようにしてもよいことは、空間Ａの場合と同様である。特に、リブ体２２、２４は細塵が漏れやすい集塵フィルター１７端部の吸引による浮きを防止し、全吸気を集塵フィルター１７に通し細塵を捕集するようになっている。そして、また、上蓋１５の外郭２５にはシボ加工等の表面加工を施し、デザイン性を損なわず、外部から集塵フィルター１７の汚れを目立たなくし、外観上の清潔感を向上させている。
【００３１】
上記構成による作用は以下の通りである。
【００３２】
図５に示すように、流入口２６より吸引された塵埃を含んだ吸引風は、第１遠心分離部１１で集塵ケース本体１０の内壁に沿って旋回し、遠心分離作用により体積の大きく質量の重い塵埃ａと、遠心分離作用の少ない軽い細塵ｂに分離される。分離された体積の大きく質量の重い塵埃ａは、堆積部１３に収容され、メッシュフィルター２７を介して第１の吸気口１９により吸引されているため、メッシュフィルター２７右端部より貯まっていく。蓄積した塵埃も集塵フィルターの効果を果たすが、メッシュフィルター２７より細かい細塵はメッシュフィルター２７を通り、フィルター収納室１４ａと連通した第２の吸気口２０を通過する。
【００３３】
一方、遠心分離作用の少ない細塵ｂは、粗いメッシュフィルター２８を通り、第２遠心分離部１２で２回目の遠心分離を行う。そこで遠心分離された細塵は細塵室２９に蓄積され、遠心分離しきれなかった細かい微細塵のみがフィルター収納室１４ａと連通した第１の吸気口１９を通過する。
【００３４】
図６に示すように、複数の吸気口１９、２０から漏れた細塵は、空間Ａの存在により、集塵フィルター１７の全面で均一かつ確実に捕集され、集塵フィルター１７での細塵の捕集限界量が多くなるため、集塵フィルター１７で確実に効率良く細塵を捕集することができ、吸引力を持続し、清潔で使い勝手の良いものとなる。また、第１の吸気口１９からの細塵漏れ量は、２回の遠心分離作用により少なくなっており、一定期間の集塵フィルター１７の細塵付着量は少なく、吸引力が持続し、メンテナンス回数を少なくできる。
【００３５】
また、連通吸気口２３と集塵フィルター１７の間には空間Ｂを設けたため、連通吸気口２３により集塵フィルター１７の吸気下流側の面積全体で吸引でき、吸引力を向上することができる。さらに、リブ体２２、２４を集塵フィルター１７の端部近傍に略同一形状で形成し、集塵フィルター１７をリブ体２２、２４で挟持したため、集塵フィルター１７の上流および下流両側に空間Ａ、Ｂを設けると同時に、集塵フィルター１７端部の吸引による浮きを防止し、端部からの細塵漏れを確実に防止できる。
【００３６】
それに加え、枠体１４の外周を軟質材のエラストマーにより形成したパッキン１６で覆っているため、集塵フィルター１７の側壁とのエアータイトを確実に行うことができ、集塵フィルター端部からの細塵漏れをより確実に防止できる。
【００３７】
（実施例２）
次に、本発明の実施例２における電気掃除機について、図７、図８を用いて説明する。電気掃除機としての基本構成は、実施例１と同じであるので、相違点についてのみ説明する。
【００３８】
図７に示すように、枠体１４は、２つのリブ体３０、３１を備えている。リブ体３０は、第１の吸気口１９と第２の吸気口２０を区画する高さ２ｍｍ程度のものであり、リブ体３１は、集塵フィルター１７を通過する気流方向と略垂直の位置にある連通吸気口２３と、第１の吸気口１９および第２の吸気口２０の間に設けた高さ２ｍｍ程度のものである。
【００３９】
そして、図８に示すように、集塵フィルター１７は、第１の吸気口１９を覆う部分を密度の高い高密度材料３２で形成し、第２の吸気口２０を覆う部分を密度の低い低密度材料３３で形成し、密度の異なる２部材を一体に成型している。
【００４０】
上記構成における、作用について説明する。
【００４１】
リブ体３０を第１の吸気口１９と第２の吸気口２０を区画する位置に設けたので、２つの吸気口１９、２０から漏れる細塵が混合することが無く、比較的細塵漏れ量の少ない第１の吸気口１９を覆う集塵フィルター面積を少なく、比較的細塵漏れ量の多い第２の吸気口２０の集塵フィルター捕集面積を大きくして、各バランスを調節でき、１個の集塵フィルター１７に均一に細塵を捕集することができるため、吸引力を持続できる。
【００４２】
また、リブ体３１により、第１の吸気口１９ならびに第２の吸気口２０から漏れた細塵が集塵フィルター１７を通らず、空間Ａを通り吸気口近傍３４まで流れるのを防止でき、確実に集塵フィルター１７を通過するため、清潔で、使い勝手を向上できる。
【００４３】
また、集塵フィルター１７は、第１の吸気口１９を覆う部分を密度の高い高密度材料３２で形成し、第２の吸気口２０を覆う部分を密度の低い低密度材料３３で形成したため、第１の吸気口２０の吸引を低下させることなく、第１の吸気口１９から漏れる遠心分離された細かい微細塵を、高密度材料３２で確実に捕集でき、清潔で使い勝手を向上できる。
【００４４】
さらに、密度の異なる２部材を一体に成型したので、高密度材料３２と低密度材料３３の境界面からの細塵漏れが無くなり、また密度の異なるフィルターを同時に取り扱え、メンテナンスでき使い勝手を向上できる。
【００４５】
（実施例３）
次に、本発明の実施例３における電気掃除機について、図９を用いて説明する。電気掃除機としての基本構成は、実施例１と同じであるので、相違点についてのみ説明する。
【００４６】
図に示すように、集塵フィルター１７は、第１の吸気口１９を覆う部分を密度の低い低密度材料３３で形成し、第２の吸気口２０を覆う部分を密度の高い高密度材料３２で形成した。他は実施例２と同じである。
【００４７】
上記構成における、作用について説明する。
【００４８】
遠心分離作用により比較的細塵漏れ量の少ない第１の吸気口１９側を低密度材料３３にすることにより吸引力を向上させ、比較的細塵漏れ量の多い第２の吸気口２０側を高密度材料３２にすることにより確実に塵埃を捕集し、清潔で使い勝手を向上できる。
【００４９】
【発明の効果】
以上のように、本発明の電気掃除機によれば、集塵ケースの集塵収納室と電動送風機とを連絡する複数の吸気口と、この複数の吸気口を覆う集塵フィルターとの間に空間を設けたものであり、複数の吸気口から漏れた細塵は、空間の存在により、集塵フィルターの全面で均一かつ確実に捕集され、集塵フィルターでの細塵の捕集限界量が多くなるため、集塵フィルターで確実に効率良く細塵を捕集することができ、吸引力を持続し、清潔で使い勝手の良いものとなる。
【図面の簡単な説明】
【図１】本発明の実施例１における電気掃除機の外観図
【図２】同電気掃除機の集塵ケースの分解斜視図
【図３】同電気掃除機の枠体の平面図
【図４】同電気掃除機の上蓋の下面図
【図５】同電気掃除機の集塵ケース本体の平面図
【図６】同電気掃除機の集塵ケースの要部断面図
【図７】本発明の実施例２における電気掃除機の枠体の平面図
【図８】同電気掃除機の集塵フィルターの平面図
【図９】本発明の実施例３における電気掃除機の集塵フィルターの平面図
【符号の説明】
１  掃除機本体
２  集塵ケース
１０  集塵ケース本体
１１  第１遠心分離部
１２  第２遠心分離部
１３  堆積部
１４  枠体
１５  上蓋
１６  パッキン
１７  集塵フィルター
１９  第１の吸気口
２０  第２の吸気口
２１、２２、２４、３０、３１  リブ体
２３  連通吸気口
２５  外郭
３２  高密度材料
３３  低密度材料
３４  吸気口近傍
Ａ、Ｂ  空間
【図１】
2004290341.tif 000003
【図２】
2004290341.tif 000004
【図３】
2004290341.tif 000005
【図４】
2004290341.tif 000006
【図５】
2004290341.tif 000007
【図６】
2004290341.tif 000008
【図７】
2004290341.tif 000009
【図８】
2004290341.tif 000010
【図９】
2004290341.tif 000011